(57)【要約】【課題】ひとつのコンテンツに含まれる複数の部分を自動的にひとつにまとめて管理することができる端末装置を提供する。【解決手段】端末装置１１１は、サーバ装置１１０から、複数の部分のうちの１つである第１の部分、および、第１の部分に付属する付属情報を受信する受信部１５１と、付属情報から、複数の部分を関連付けるための格納情報を生成する格納情報生成部１５２と、第１の部分および格納情報を関連付けて、第１の部分および格納情報を記録媒体１２２に格納する格納処理部１５３とを備え、受信部１５１は、さらに、第１の部分を受信した後、複数の部分のうちの１つであって、第１の部分とは異なる第２の部分を受信し、格納処理部１５３は、さらに、第２の部分を格納情報に関連付けて、第２の部分を記録媒体１２２に格納する。【選択図】図３
2012098964.tif 000002
【特許請求の範囲】
【請求項１】
コンテンツの複数の部分をサーバ装置から受信し、受信した前記複数の部分を記録媒体に格納する端末装置であって、
前記サーバ装置から、前記複数の部分のうちの１つである第１の部分、および、前記第１の部分に付属する付属情報を受信する受信部と、
前記付属情報から、前記複数の部分を関連付けるための格納情報を生成する格納情報生成部と、
前記第１の部分および前記格納情報を関連付けて、前記第１の部分および前記格納情報を前記記録媒体に格納する格納処理部とを備え、
前記受信部は、さらに、前記第１の部分を受信した後、前記複数の部分のうちの１つであって、前記第１の部分とは異なる第２の部分を受信し、
前記格納処理部は、さらに、前記第２の部分を前記格納情報に関連付けて、前記第２の部分を前記記録媒体に格納する
端末装置。
【請求項２】
前記端末装置は、さらに、前記第１の部分および前記第２の部分を同じ暗号鍵で暗号化する暗号化部を備え、
前記格納処理部は、暗号化された前記第１の部分、および、暗号化された前記第２の部分を前記記録媒体に格納する
請求項１に記載の端末装置。
【請求項３】
前記暗号化部は、前記格納情報生成部によって生成された前記格納情報から前記同じ暗号鍵を生成し、生成した前記同じ暗号鍵で、前記第１の部分および前記第２の部分を暗号化する
請求項２に記載の端末装置。
【請求項４】
前記暗号化部は、さらに、前記同じ暗号鍵で、前記格納情報を暗号化し、
前記格納処理部は、暗号化された前記格納情報を前記記録媒体に格納する
請求項２または請求項３に記載の端末装置。
【請求項５】
前記受信部は、前記コンテンツを識別するための識別情報を含む前記付属情報を前記サーバ装置から受信し、
前記格納情報生成部は、前記付属情報に含まれる前記識別情報を用いて、前記格納情報を提供する格納情報提供装置から、前記識別情報によって識別される前記コンテンツに対応する前記格納情報を取得することにより、前記格納情報を生成する
請求項１〜４のいずれか１項に記載の端末装置。
【請求項６】
前記受信部は、前記格納情報を含む前記付属情報を前記サーバ装置から受信し、
前記格納情報生成部は、前記付属情報に含まれる前記格納情報を抽出することにより、前記格納情報を生成する
請求項１〜４のいずれか１項に記載の端末装置。
【請求項７】
前記受信部は、前記第１の部分に埋め込まれた前記付属情報を前記サーバ装置から受信する
請求項１〜６のいずれか１項に記載の端末装置。
【請求項８】
前記受信部は、前記第１の部分から切り離された前記付属情報を前記サーバ装置から受信する
請求項１〜６のいずれか１項に記載の端末装置。
【請求項９】
前記格納情報生成部は、前記付属情報から、前記コンテンツの利用条件を含む前記格納情報を生成し、
前記格納処理部は、前記コンテンツの利用条件を含む前記格納情報を前記記録媒体に格納する
請求項１〜８のいずれか１項に記載の端末装置。
【請求項１０】
前記格納情報生成部は、前記付属情報から、前記複数の部分にそれぞれ対応する複数の順番を含む前記格納情報を生成し、
前記格納処理部は、前記複数の順番のうち、前記第１の部分および前記第２の部分のそれぞれが対応する順番に関連付けて、前記第１の部分および前記第２の部分を前記記録媒体に格納する
請求項１〜９のいずれか１項に記載の端末装置。
【請求項１１】
前記格納情報生成部は、前記付属情報から、前記コンテンツの目次であって、前記複数の部分がそれぞれ対応する複数の項目を有する目次を含む前記格納情報を生成し、
前記格納処理部は、前記目次の複数の項目のうち、前記第１の部分および前記第２の部分のそれぞれが対応する項目に関連付けて、前記第１の部分および前記第２の部分を前記記録媒体に格納する
請求項１〜９のいずれか１項に記載の端末装置。
【請求項１２】
コンテンツを管理するコンテンツ管理システムであって、
サーバ装置と、
端末装置とを備え、
前記サーバ装置は、前記コンテンツの複数の部分のうちの１つである第１の部分、および、前記第１の部分に付属する付属情報を送信する送信部を備え、
前記端末装置は、
前記サーバ装置から、前記第１の部分、および、前記付属情報を受信する受信部と、
前記付属情報から、前記複数の部分を関連付けるための格納情報を生成する格納情報生成部と、
前記第１の部分および前記格納情報を関連付けて、前記第１の部分および前記格納情報を記録媒体に格納する格納処理部とを備え、
前記送信部は、さらに、前記第１の部分を送信した後、前記複数の部分のうちの１つであって、前記第１の部分とは異なる第２の部分を送信し、
前記受信部は、さらに、前記第１の部分を受信した後、前記第２の部分を受信し、
前記格納処理部は、さらに、前記第２の部分を前記格納情報に関連付けて、前記第２の部分を前記記録媒体に格納する
コンテンツ管理システム。
【請求項１３】
コンテンツの複数の部分をサーバ装置から受信し、受信した前記複数の部分を記録媒体に格納するコンテンツ記録方法であって、
前記サーバ装置から、前記複数の部分のうちの１つである第１の部分、および、前記第１の部分に付属する付属情報を受信する第１の受信ステップと、
前記付属情報から、前記複数の部分を関連付けるための格納情報を生成する格納情報生成ステップと、
前記第１の部分および前記格納情報を関連付けて、前記第１の部分および前記格納情報を前記記録媒体に格納する第１の格納処理ステップと、
前記第１の部分を受信した後、前記複数の部分のうちの１つであって、前記第１の部分とは異なる第２の部分を受信する第２の受信ステップと、
前記第２の部分を前記格納情報に関連付けて、前記第２の部分を前記記録媒体に格納する第２の格納処理ステップとを含む
コンテンツ記録方法。
【発明の詳細な説明】
【技術分野】
【０００１】
本発明は、コンテンツの複数の部分をサーバ装置から受信し、受信した複数の部分を記録媒体に格納する端末装置に関する。
【背景技術】
【０００２】
１９８０年代、インターネットは、研究機関、大学および一部の企業などの間でのメール（Ｅ−ｍａｉｌ）またはネットニュースの交換を目的として主に使われていた。１９９０年代に入ってから、Ｗｏｒｌｄ  Ｗｉｄｅ  Ｗｅｂ（ＷＷＷ）の流行、パーソナルコンピュータ向けＯＳのインターネット接続対応により、インターネットは、一気に一般ユーザーへ普及した。
【０００３】
普及当初、個人向け接続サービスの大半は低速なダイヤルアップ接続であり、従量制の課金が多かった。そのため、ネットサーフィンと呼ばれるホームページの閲覧、および、メールが主流であった。しかし、２０００年に入り、定額の有線ブロードバンド接続サービスが低価格で提供されはじめると、インターネットを介したコンテンツの電子配信が活発となっていった。また、同時期に、携帯電話でもインターネットへのモバイル接続サービスが提供されるようになった。そして、２０１０年の今では有線ブロードバンド接続サービスを追い抜く勢いで、モバイル接続サービスが爆発的な発展を遂げようとしている。
【０００４】
元々、ＷＷＷは、電子ネットワーク上で学術論文同士を容易に結びつけ合うように作られたシステムである。また、インターネットの普及に拍車をかけたホームページなどは、文字情報（テキストデータ）中心のコンテンツである。このため、小説、新聞および雑誌といった電子出版物を有料コンテンツとして販売する試みが古くから行われてきた。しかし、有料コンテンツの販売は、不正コピーの防止技術、および、複雑な著作権許諾の問題などから、これまで比較的限定的な普及に留まっていた。
【０００５】
昨今では、日本国内の限定的な傾向として、コミックおよび写真集などの画像情報（イメージデータ）中心のコンテンツが、有料コンテンツとして認知され始めている。一方、海外、特に米国などでは、Ａｍａｚｏｎ社が開始したＫｉｎｄｌｅ（登録商標）サービスによって、主に文字情報である電子書籍も、本格的な普及の兆しが見えつつある。なお、Ｋｉｎｄｌｅは端末の名前であると同時に、サービスの名前でもある。ここでは、Ｋｉｎｄｌｅのうち、端末をＫｉｎｄｌｅ端末、サービスをＫｉｎｄｌｅサービスと呼ぶ。
【０００６】
このような、電子書籍を販売する電子書籍販売システムに用いられる技術として、例えば、特許文献１に記載の技術がある。
【０００７】
ここで、再度、電子書籍という文言について定義を行っておく。電子書籍とは、電子化された書籍という意味である。したがって、電子書籍は、主に、小説、雑誌およびコミックなどの電子出版物である。しかし、実際には、写真集、新聞およびタウン誌など、様々な出版物も、電子書籍に包含される場合が多い。実際に、Ａｍａｚｏｎ社のＫｉｎｄｌｅサービスでは、小説、雑誌、新聞およびコミックなどのコンテンツが電子配信されている。
【０００８】
また、現在の電子書籍のコンテンツにおいて、既に出版された紙の情報を文字情報（テキストデータ）に、さらに必要ならば挿絵を画像情報（イメージデータ）に、変換することにより生成された電子データが大半である。これは、紙で出版された状態を前提として著作権許諾が行われているためである。
【０００９】
また、販売者が、コンテンツを紙とは別に動画、音声およびハイパーリンクなどに電子化して、付加情報を別途編集する場合、編集のコストが発生する。このため、現状では、必然的に紙として出版されたものと同等の情報しかない電子データに対して、紙で出版された書籍と同等の価格が、付けられている。
【００１０】
このような背景の中、既存の出版物とは異なる販売形態も始まっている。先に述べたように、日本国内では、通常のコミックの出版物（紙のマンガ単行本）は、１冊に数話がまとめられる形で販売されている。しかし、電子化されたコミックは、１話毎に販売されている場合もある。今後、雑誌および新聞などの電子配信がはじまった際、それらが記事毎に販売されることも想定される。
【００１１】
このように、紙の出版形態の制約からコンテンツを１冊にまとめて流通し、販売していたこれまでの販売形態が、出版物の電子化によって大きく変化してくる可能性が高い。
【先行技術文献】
【特許文献】
【００１２】
【特許文献１】特開２００４−１６４２８５号公報
【発明の概要】
【発明が解決しようとする課題】
【００１３】
しかしながら、ユーザーがパーソナルコンピュータまたはモバイル端末で電子書籍を購入し、蓄積する場合、購入単位のままで、コンテンツデータを保存しておくことが、必ずしも便利な状態とは限らない。例えば、前述した電子コミックなどにおいて、１話毎に蓄積して管理するよりも通常の紙のマンガ単行本と同じように１冊単位でまとめて管理しておいた方がユーザーにとっては利用しやすいと考えられる。
【００１４】
しかし、現行の電子書籍配信に対する著作権保護の方法では、配信形態と蓄積形態との違い、または、配信形態と管理形態との違いを柔軟に吸収する仕組みを有していないのが実情である。
【００１５】
例えば、記録媒体の１つであるＳＤカードにおいて、電子化された書籍などのコンテンツデータを管理及び保護する仕組みとして“ＳＤ  ｅ−ｐｕｂｌｉｓｈ”という規格が存在している。しかし、“ＳＤ  ｅ−ｐｕｂｌｉｓｈ”は、ユーザーが購入したコンテンツが一意に１つの管理単位として蓄積され、１つの暗号鍵で暗号化される仕組みとなっている。そのため、“ＳＤ  ｅ−ｐｕｂｌｉｓｈ”は、購入した複数のコンテンツをひとつにまとめて管理したり、複数のコンテンツを同じ暗号鍵で暗号化したりする仕組みを有していない。
【００１６】
以下、図を用いて、具体的に説明する。図１５は、従来技術に係るコンテンツ管理システムを示す概念図である。図１５に示されたコンテンツ管理システム９０１は、少なくともサーバ装置９１０および端末装置９１１を備える。
【００１７】
例えば、サーバ装置９１０は、ＬＡＮ（Ｌｏｃａｌ  Ａｒｅａ  Ｎｅｔｗｏｒｋ）などの通信ネットワーク９２１を介して、端末装置９１１に、コンテンツ９３０を送信する。コンテンツ９３０は、１冊の書籍に相当する電子書籍である。コンテンツ９３０は、端末装置９１１において、ひとつのデータとして扱われる。そして、端末装置９１１は、ＳＤカード等の記録媒体９２２に、コンテンツ９３０を格納する場合がある。これにより、別の端末装置９１２でも、記録媒体９２２に格納されたコンテンツ９３０を参照できる。
【００１８】
また、例えば、サーバ装置９１０は、通信ネットワーク９２１を介して、端末装置９１１に、コンテンツの複数の部分のうちの１つである第１の部分９３１を送信する。さらに、サーバ装置９１０は、端末装置９１１に、同じコンテンツの複数の部分のうちの１つである第２の部分９３２を送信する。第１の部分９３１および第２の部分９３２は、１冊の同じ書籍の中の記事にそれぞれ相当する。そして、第１の部分９３１および第２の部分９３２は、端末装置９１１において、別々のデータとして扱われる。つまり、端末装置９１１において、データは、記事単位に管理される。
【００１９】
また、端末装置９１１が、記録媒体９２２に、第１の部分９３１および第２の部分９３２を格納した場合も、通常、第１の部分９３１および第２の部分９３２は、それぞれ、別々のデータとして格納される。したがって、別の端末装置９１２でも、第１の部分９３１および第２の部分９３２をそれぞれ別々のデータとして参照する。
【００２０】
つまり、ユーザーが複数の記事を１冊の書籍にまとめない限り、各記事は、記録媒体９２２へ格納される場合も、別の端末装置９１２で参照される場合も、別々に取り扱われる。これにより、管理の容易性が損なわれる。
【００２１】
また、従来、記録媒体９２２に格納されるデータは、“ＳＤ  ｅ−ｐｕｂｌｉｓｈ”等で採用されているメディアバインディングと呼ばれる技術に基づいて、暗号化される場合がある。この場合、データの暗号化に用いられた暗号鍵の情報は、記録媒体９２２に記録される。そして、暗号鍵の情報、および、記録媒体９２２の識別情報等により、記録媒体９２２に格納されたデータは、記録媒体９２２と離れて再生されないように制御される。これにより、記録媒体９２２に格納されたデータについての著作権が保護される。
【００２２】
しかし、従来の技術では、記録媒体９２２に格納されるデータは、それぞれ別々に暗号化される。つまり、各記事が、別々に管理されている場合、別々の暗号鍵で暗号化される。したがって、記事毎に配信され、管理されることにより、必要な暗号鍵が枯渇する可能性がある。また、記事の数によって、暗号鍵の数が膨大になり、暗号鍵の情報を記録するための容量も無視できない大きさになる。
【００２３】
そこで、本発明は、ひとつのコンテンツに含まれる複数の部分を自動的にひとつにまとめて管理することができる端末装置を提供することを目的とする。
【課題を解決するための手段】
【００２４】
上記課題を解決するため、本発明に係る端末装置は、コンテンツの複数の部分をサーバ装置から受信し、受信した前記複数の部分を記録媒体に格納する端末装置であって、前記サーバ装置から、前記複数の部分のうちの１つである第１の部分、および、前記第１の部分に付属する付属情報を受信する受信部と、前記付属情報から、前記複数の部分を関連付けるための格納情報を生成する格納情報生成部と、前記第１の部分および前記格納情報を関連付けて、前記第１の部分および前記格納情報を前記記録媒体に格納する格納処理部とを備え、前記受信部は、さらに、前記第１の部分を受信した後、前記複数の部分のうちの１つであって、前記第１の部分とは異なる第２の部分を受信し、前記格納処理部は、さらに、前記第２の部分を前記格納情報に関連付けて、前記第２の部分を前記記録媒体に格納する。
【００２５】
これにより、ひとつのコンテンツに含まれる複数の部分が、自動的にひとつにまとめられて管理される。
【００２６】
また、前記端末装置は、さらに、前記第１の部分および前記第２の部分を同じ暗号鍵で暗号化する暗号化部を備え、前記格納処理部は、暗号化された前記第１の部分、および、暗号化された前記第２の部分を前記記録媒体に格納してもよい。
【００２７】
これにより、ひとつのコンテンツに含まれる複数の部分が、同じ暗号鍵で暗号化されて、ひとつにまとめられる。したがって、これらの複数の部分が同じレベルで保護される。また、生成される暗号鍵の数が抑制される。
【００２８】
また、前記暗号化部は、前記格納情報生成部によって生成された前記格納情報から前記同じ暗号鍵を生成し、生成した前記同じ暗号鍵で、前記第１の部分および前記第２の部分を暗号化してもよい。
【００２９】
これにより、コンテンツ毎に一意に定められる格納情報に基づいて、暗号鍵が一意に定められる。
【００３０】
また、前記暗号化部は、さらに、前記同じ暗号鍵で、前記格納情報を暗号化し、前記格納処理部は、暗号化された前記格納情報を前記記録媒体に格納してもよい。
【００３１】
これにより、格納情報も、コンテンツの複数の部分と同様に、保護される。そして、格納情報に含まれる著作権も、有効に保護される。
【００３２】
また、前記受信部は、前記コンテンツを識別するための識別情報を含む前記付属情報を前記サーバ装置から受信し、前記格納情報生成部は、前記付属情報に含まれる前記識別情報を用いて、前記格納情報を提供する格納情報提供装置から、前記識別情報によって識別される前記コンテンツに対応する前記格納情報を取得することにより、前記格納情報を生成してもよい。
【００３３】
これにより、格納情報を生成するための情報であって、コンテンツの部分に付属する情報を最小限に抑えることができる。
【００３４】
また、前記受信部は、前記格納情報を含む前記付属情報を前記サーバ装置から受信し、前記格納情報生成部は、前記付属情報に含まれる前記格納情報を抽出することにより、前記格納情報を生成してもよい。
【００３５】
これにより、付属情報自体が格納情報に用いられる。したがって、複雑な処理が低減される。
【００３６】
また、前記受信部は、前記第１の部分に埋め込まれた前記付属情報を前記サーバ装置から受信してもよい。
【００３７】
これにより、端末装置は、別途の情報を受け取ることなく、格納情報を生成するための付属情報を受信できる。したがって、複雑な処理が低減される。
【００３８】
また、前記受信部は、前記第１の部分から切り離された前記付属情報を前記サーバ装置から受信してもよい。
【００３９】
これにより、端末装置は、より多様な形式で、付属情報を受信できる。
【００４０】
また、前記格納情報生成部は、前記付属情報から、前記コンテンツの利用条件を含む前記格納情報を生成し、前記格納処理部は、前記コンテンツの利用条件を含む前記格納情報を前記記録媒体に格納してもよい。
【００４１】
これにより、コンテンツに含まれる複数の部分についての利用条件が、格納情報によって判別可能になる。
【００４２】
また、前記格納情報生成部は、前記付属情報から、前記複数の部分にそれぞれ対応する複数の順番を含む前記格納情報を生成し、前記格納処理部は、前記複数の順番のうち、前記第１の部分および前記第２の部分のそれぞれが対応する順番に関連付けて、前記第１の部分および前記第２の部分を前記記録媒体に格納してもよい。
【００４３】
これにより、コンテンツに含まれる複数の部分が、元の順序通りに管理される。したがって、元の順序通りの再生が可能になる。
【００４４】
また、前記格納情報生成部は、前記付属情報から、前記コンテンツの目次であって、前記複数の部分がそれぞれ対応する複数の項目を有する目次を含む前記格納情報を生成し、前記格納処理部は、前記目次の複数の項目のうち、前記第１の部分および前記第２の部分のそれぞれが対応する項目に関連付けて、前記第１の部分および前記第２の部分を前記記録媒体に格納してもよい。
【００４５】
これにより、コンテンツに含まれる複数の部分が、目次に従って管理される。したがって、元の順序通りの再生が可能になる。また、コンテンツに含まれる複数の部分のうち、記録媒体に格納された部分の把握が容易になり、管理の容易性がより向上する。
【００４６】
また、本発明に係るコンテンツ管理システムは、コンテンツを管理するコンテンツ管理システムであって、サーバ装置と、端末装置とを備え、前記サーバ装置は、前記コンテンツの複数の部分のうちの１つである第１の部分、および、前記第１の部分に付属する付属情報を送信する送信部を備え、前記端末装置は、前記サーバ装置から、前記第１の部分、および、前記付属情報を受信する受信部と、前記付属情報から、前記複数の部分を関連付けるための格納情報を生成する格納情報生成部と、前記第１の部分および前記格納情報を関連付けて、前記第１の部分および前記格納情報を記録媒体に格納する格納処理部とを備え、前記送信部は、さらに、前記第１の部分を送信した後、前記複数の部分のうちの１つであって、前記第１の部分とは異なる第２の部分を送信し、前記受信部は、さらに、前記第１の部分を受信した後、前記第２の部分を受信し、前記格納処理部は、さらに、前記第２の部分を前記格納情報に関連付けて、前記第２の部分を前記記録媒体に格納してもよい。
【００４７】
これにより、ひとつのコンテンツに含まれる複数の部分が、自動的にひとつにまとめられて管理される。
【００４８】
また、本発明に係るコンテンツ記録方法は、コンテンツの複数の部分をサーバ装置から受信し、受信した前記複数の部分を記録媒体に格納するコンテンツ記録方法であって、前記サーバ装置から、前記複数の部分のうちの１つである第１の部分、および、前記第１の部分に付属する付属情報を受信する第１の受信ステップと、前記付属情報から、前記複数の部分を関連付けるための格納情報を生成する格納情報生成ステップと、前記第１の部分および前記格納情報を関連付けて、前記第１の部分および前記格納情報を前記記録媒体に格納する第１の格納処理ステップと、前記第１の部分を受信した後、前記複数の部分のうちの１つであって、前記第１の部分とは異なる第２の部分を受信する第２の受信ステップと、前記第２の部分を前記格納情報に関連付けて、前記第２の部分を前記記録媒体に格納する第２の格納処理ステップとを含んでもよい。
【００４９】
これにより、本発明に係る端末装置が、コンテンツ記録方法として実現される。
【発明の効果】
【００５０】
本発明により、ひとつのコンテンツに含まれる複数の部分が、自動的にひとつにまとめられて管理される。したがって、管理の容易性が向上する。
【図面の簡単な説明】
【００５１】
【図１】図１は、実施の形態１に係るコンテンツ管理システムを示す概念図である。
【図２】図２は、実施の形態１に係るサーバ装置を示す構成図である。
【図３】図３は、実施の形態１に係る記録側の端末装置を示す構成図である。
【図４】図４は、実施の形態１に係る再生側の端末装置を示す構成図である。
【図５】図５は、実施の形態１に係るデータ遷移の第１の具体例を示す図である。
【図６】図６は、実施の形態１に係るデータ遷移の第２の具体例を示す図である。
【図７】図７は、実施の形態１に係るデータ遷移の第３の具体例を示す図である。
【図８】図８は、実施の形態１に係る記録側の端末装置の処理を示すフローチャートである。
【図９】図９は、実施の形態１に係る記録側の端末装置の処理を示すフローチャートである。
【図１０】図１０は、実施の形態２に係るコンテンツ管理システムを示す概念図である。
【図１１】図１１は、実施の形態２に係るサーバ装置を示す構成図である。
【図１２】図１２は、実施の形態２に係る記録側の端末装置を示す構成図である。
【図１３】図１３は、実施の形態２に係る再生側の端末装置を示す構成図である。
【図１４】図１４は、実施の形態２に係る記録媒体を示す概念図である。
【図１５】図１５は、従来技術に係るコンテンツ管理システムを示す概念図である。
【発明を実施するための形態】
【００５２】
（実施の形態１）
図１は、実施の形態１に係るコンテンツ管理システムを示す概念図である。図１に示されたコンテンツ管理システム１０１は、少なくともサーバ装置１１０および端末装置１１１を備える。
【００５３】
サーバ装置１１０は、電子書籍などのコンテンツを送信する装置である。サーバ装置１１０は、コンピュータによって実現される。端末装置１１１は、電子書籍などのコンテンツを受信して、受信したコンテンツを記録媒体１２２に格納する装置である。端末装置１１１の典型例は、パーソナルコンピュータである。別の端末装置１１２は、電子書籍などのコンテンツを記録媒体１２２から読み取り、読み取ったコンテンツを再生する装置である。端末装置１１２の典型例は、電子ブックリーダーとも呼ばれる電子書籍専用端末である。なお、端末装置１１１と別の端末装置１１２とが一体となったひとつの装置であってもよい。
【００５４】
例えば、サーバ装置１１０は、ＬＡＮなどの通信ネットワーク１２１を介して、端末装置１１１に、コンテンツ１３０を送信する。ここで、コンテンツ１３０は、１冊の書籍に相当する電子書籍である。端末装置１１１は、サーバ装置１１０からコンテンツ１３０を受信する。そして、端末装置１１１は、ＳＤカード等の記録媒体１２２に、コンテンツ１３０を格納する。
【００５５】
このように、配信単位が書籍単位であれば、管理単位が配信単位と同じであっても、弊害はない。しかし、配信単位が記事単位であって、管理単位が配信単位と同じである場合、データの管理が困難になる。そのため、端末装置１１１は、記事単位で配信されても、書籍単位で管理されるように、自動的にデータをまとめる。
【００５６】
例えば、サーバ装置１１０は、通信ネットワーク１２１を介して、端末装置１１１に、コンテンツの複数の部分のうちの１つである第１の部分１３１を送信する。第１の部分１３１は、１冊の書籍の中の記事に相当する。端末装置１１１は、サーバ装置１１０から第１の部分１３１を受信する。
【００５７】
第１の部分１３１を受信した端末装置１１１は、複数の部分を関連付けるための格納情報を生成する。ここで、格納情報は、ブックカバーに相当する。第１の部分１３１には、格納情報を生成するための付属情報が付属している。端末装置１１１は、付属情報から格納情報を生成する。そして、端末装置１１１は、第１の部分１３１と格納情報とを関連付けて、第１の部分１３１と格納情報とを記録媒体１２２に格納する。
【００５８】
さらに、サーバ装置１１０は、通信ネットワーク１２１を介して、端末装置１１１に、同じコンテンツの複数の部分のうちの１つである第２の部分１３２を送信する。第１の部分１３１および第２の部分１３２は、同じ１冊の書籍の中の記事に相当する。端末装置１１１は、サーバ装置１１０から第２の部分１３２を受信する。そして、端末装置１１１は、第２の部分１３２を格納情報に関連付けて、第２の部分１３２を記録媒体１２２に格納する。
【００５９】
これにより、端末装置１１１は、第１の部分１３１および第２の部分１３２をひとつのデータ１３３として記録媒体１２２に格納することができる。第１の部分１３１および第２の部分１３２がひとつのデータ１３３として管理されるため、データの管理が容易になる。そして、別の端末装置１１２は、記録媒体１２２を介して、第１の部分１３１および第２の部分１３２をひとつのデータ１３３として参照できる。
【００６０】
第１の部分１３１および第２の部分１３２に関連付けられる格納情報は、コンテンツの基本的な情報を含んでもよい。例えば、コンテンツのタイトル、目次、著者、発行日、書籍のイメージ等を含んでもよい。また、格納情報は、ＸＭＬ（Ｅｘｔｅｎｓｉｂｌｅ  Ｍａｒｋｕｐ  Ｌａｎｇｕａｇｅ）形式のデータファイルであってもよい。
【００６１】
また、格納情報は、コンテンツに含まれる複数の部分にそれぞれ対応する複数の識別情報を含んでもよい。例えば、サーバ装置１１０は、第２の部分１３２に、第２の部分１３２の識別情報を付けて、第２の部分１３２を送信する。端末装置１１１は、第２の部分１３２に付けられた識別情報を含む格納情報を探し、探し出された格納情報と、第２の部分１３２とを関連付けて、第２の部分１３２を記録媒体１２２に格納する。
【００６２】
また、格納情報は、コンテンツに含まれる複数の部分にそれぞれ対応する複数の順番を含んでもよい。これにより、複数の部分が、正しい順序で、管理される。
【００６３】
また、格納情報は、コンテンツの識別情報を含んでもよい。例えば、サーバ装置１１０は、第２の部分１３２に、コンテンツの識別情報を付けて、第２の部分１３２を送信する。端末装置１１１は、第２の部分１３２に付けられた識別情報を含む格納情報を探し、探し出された格納情報と、第２の部分１３２とを関連付けて、第２の部分１３２を記録媒体１２２に格納する。
【００６４】
端末装置１１１は、格納情報、第１の部分１３１および第２の部分１３２を記録媒体１２２に格納する時、ひとつのデータファイルになるように、それらを結合して格納してもよい。あるいは、端末装置１１１は、フォルダ構造のファイルシステムを有する記録媒体１２２に、格納情報、第１の部分１３１および第２の部分１３２をひとつのフォルダに格納することにより、それらを関連付けてもよい。この場合、格納情報は、フォルダ自体であってもよいし、フォルダに格納されるデータファイルであってもよい。
【００６５】
また、格納情報は、コンテンツの複数の部分との関連付けを保持するデータファイルであってもよい。例えば、端末装置１１１は、格納情報に、第１の部分１３１の情報、および、第２の部分１３２の情報を書き込むことにより、格納情報に、第１の部分１３１および第２の部分１３２を関連付けてもよい。格納情報に書き込まれる情報の典型例は、各部分を識別するための識別情報である。
【００６６】
図２は、図１に示された実施の形態１に係るサーバ装置１１０を示す構成図である。サーバ装置１１０は、記憶部１４１、分割部１４２、付属情報生成部１４３および送信部１４４を備える。
【００６７】
記憶部１４１は、コンテンツを記憶している。記憶部１４１の典型例は、ハードディスク等の記録媒体である。
【００６８】
分割部１４２は、記憶部１４１に記憶されているコンテンツを読み出し、読み出されたコンテンツを複数の部分に分割する。または、分割部１４２は、コンテンツから一部を抽出してもよい。これにより、分割部１４２は、図１に示された第１の部分１３１および第２の部分１３２を生成する。
【００６９】
この時、分割部１４２は、ページ毎のように物理的な単位でコンテンツを分割してもよいし、目次の項目毎のように意味に応じてコンテンツを分割してもよい。また、分割部１４２は、コンテンツである電子書籍を記事毎に、または、電子書籍の章立て毎に分割してもよい。
【００７０】
付属情報生成部１４３は、記憶部１４１に記憶されているコンテンツから、付属情報を生成する。あるいは、付属情報生成部１４３は、分割部１４２がコンテンツを分割することによって生成された部分から、付属情報を生成する。
【００７１】
付属情報は、分割部１４２がコンテンツを分割することによって生成された部分に付属する情報であって、格納情報を生成するための情報である。例えば、コンテンツの識別情報、コンテンツの部分の識別情報、または、格納情報に含まれる情報等を含んでもよい。また、付属情報は、典型的には、ＸＭＬ形式のデータとして形成されるが、その他の形式のデータとして形成されてもよい。
【００７２】
送信部１４４は、分割部１４２がコンテンツを分割することによって生成された部分と、付属情報生成部１４３によって生成された付属情報とを端末装置１１１に送信する。例えば、送信部１４４は、第１の部分１３１と付属情報とを送信する。また、送信部１４４は、その後、第２の部分１３２と付属情報とを送信する。送信部１４４は、コンテンツの部分と、付属情報とをひとつのデータファイルとして送信してもよいし、それぞれ別々のデータファイルとして送信してもよい。
【００７３】
なお、記憶部１４１には、別の装置で予め複数に分割されたコンテンツが記憶されていてもよい。また、記憶部１４１には、別の装置で予め生成された付属情報が記憶されていてもよい。このような場合、分割部１４２および付属情報生成部１４３は、無くてもよい。そして、送信部１４４は、記憶部１４１に記憶されている、コンテンツの部分、および、付属情報を読み出して、それらを送信してもよい。また、記憶部１４１は、サーバ装置１１０の外部の記憶装置であってもよい。
【００７４】
また、付属情報は、コンテンツの複数の部分のうち、端末装置１１１に最初に送信される部分のみに付属する情報でもよい。例えば、送信部１４４は、第１の部分１３１を送信する時に付属情報を送信し、第２の部分１３２を送信する時に付属情報を送信しなくてもよい。そして、この場合、付属情報生成部１４３は、第２の部分１３２に付属する付属する付属情報を生成しなくてもよい。
【００７５】
図３は、図１に示された実施の形態１に係る受信側の端末装置１１１を示す構成図である。端末装置１１１は、受信部１５１、格納情報生成部１５２および格納処理部１５３を備える。
【００７６】
受信部１５１は、サーバ装置１１０からのデータを受信する。受信部１５１は、まず、サーバ装置１１０から、第１の部分１３１、および、第１の部分１３１に付属する付属情報を受信する。その後、受信部１５１は、第２の部分１３２を受信する。
【００７７】
格納情報生成部１５２は、受信部１５１が受信した付属情報から、コンテンツの複数の部分を関連付けるための格納情報を生成する。
【００７８】
格納処理部１５３は、受信部１５１が受信したデータと、格納情報生成部１５２が生成した格納情報とを関連付けて、それらを記録媒体１２２に格納する。まず、格納処理部１５３は、第１の部分１３１および格納情報を関連付けて、第１の部分１３１および格納情報をひとつのデータ１３３として記録媒体１２２に格納する。そして、受信部１５１が、第２の部分１３２を受信した後、格納処理部１５３は、第２の部分１３２を格納情報に関連付けて、第２の部分１３２を記録媒体１２２に格納する。
【００７９】
これにより、格納処理部１５３は、第１の部分１３１および第２の部分１３２をひとつのデータ１３３として、記録媒体１２２に格納する。
【００８０】
記録媒体１２２は、格納されたデータ１３３を保持する。記録媒体１２２は、典型的には、ＳＤカードであるが、ハードディスク、フレキシブルディスクまたはその他のメモリ等であってもよい。
【００８１】
図４は、図１に示された実施の形態１に係る再生側の端末装置１１２を示す構成図である。端末装置１１２は、抽出部１６１および再生部１６２を備える。
【００８２】
抽出部１６１は、記録媒体１２２からデータを抽出する。例えば、抽出部１６１は、格納情報と関連付けられた第１の部分１３１および第２の部分１３２をひとつのデータ１３３として抽出する。この時、抽出部１６１は、格納情報を含むデータ１３３を抽出してもよい。
【００８３】
再生部１６２は、抽出されたデータを再生する。例えば、再生部１６２は、第１の部分１３１および第２の部分１３２を文字情報として表示する。さらに、再生部１６２は、格納情報を表示してもよい。また、再生部１６２は、第１の部分１３１、第２の部分１３２および格納情報から文字情報のみでなく、画像情報または音声情報を再生してもよい。
【００８４】
第１の部分１３１および第２の部分１３２がひとつのデータ１３３として管理されているため、再生部１６２は、これらを連続して再生することができる。さらに、格納情報に順序が含まれている場合、再生部１６２は、第１の部分１３１および第２の部分１３２を正しい順序で再生できる。
【００８５】
図５は、図３に示された実施の形態１に係る端末装置１１１におけるデータ遷移の第１の具体例を示す図である。第１の具体例において、サーバ装置１１０は、第１の部分１３１に付属情報１３４を埋め込んで、端末装置１１１に第１の部分１３１を送信する。ここで、付属情報１３４には、格納情報１３５を生成するための情報が含まれ、例えば、コンテンツのタイトルおよび目次等が含まれる。すなわち、このような付属情報１３４が、第１の部分１３１に書き込まれている。
【００８６】
受信部１５１は、サーバ装置１１０から、付属情報１３４が埋め込まれた第１の部分１３１を受信する。
【００８７】
格納情報生成部１５２は、第１の部分１３１から付属情報１３４を抽出する。そして、格納情報生成部１５２は、抽出した付属情報１３４から格納情報１３５を生成する。例えば、格納情報生成部１５２は、付属情報１３４から格納情報１３５としてデータファイルを生成する。また、格納情報生成部１５２は、フォルダ構造のファイルシステムを有する記録媒体１２２にフォルダを作成するために必要な情報を格納情報１３５として生成してもよい。
【００８８】
格納処理部１５３は、受信部１５１によって受信された第１の部分１３１、および、格納情報生成部１５２によって生成された格納情報１３５を関連付けて、第１の部分１３１および格納情報１３５をひとつのデータ１３３として記録媒体１２２に格納する。
【００８９】
図６は、図３に示された実施の形態１に係る端末装置１１１におけるデータ遷移の第２の具体例を示す図である。第２の具体例において、サーバ装置１１０は、第１の部分１３１に付属情報１３４を埋め込んで、端末装置１１１に第１の部分１３１を送信する。ここで、付属情報１３４には、ＩＤコード等のような、コンテンツまたは第１の部分１３１を識別するための識別情報が含まれる。すなわち、このような付属情報１３４が、第１の部分１３１に書き込まれている。
【００９０】
受信部１５１は、サーバ装置１１０から、付属情報１３４が埋め込まれた第１の部分１３１を受信する。
【００９１】
格納情報生成部１５２は、第１の部分１３１から付属情報１３４を抽出する。格納情報生成部１５２は、付属情報１３４に含まれる識別情報を用いて、格納情報提供装置から格納情報１３５を取得する。ここで、格納情報提供装置は、識別情報に基づいて、識別情報に対応する格納情報を提供する装置である。
【００９２】
格納情報提供装置は、要求に応じて、予め蓄積された格納情報を送信してもよい。また、格納情報提供装置は、要求に応じて、格納情報を生成し、生成された格納情報を送信してもよい。また、サーバ装置１１０が、格納情報提供装置の役割を担ってもよい。
【００９３】
例えば、格納情報生成部１５２は、格納情報提供装置からデータファイルを格納情報１３５として取得する。また、格納情報生成部１５２は、フォルダ構造のファイルシステムを有する記録媒体１２２にフォルダを作成するために必要な情報を格納情報１３５として格納情報提供装置から取得してもよい。格納情報生成部１５２は、格納情報提供装置から格納情報１３５を取得することにより、格納情報１３５を生成する。
【００９４】
格納処理部１５３は、受信部１５１によって受信された第１の部分１３１、および、格納情報生成部１５２によって生成された格納情報１３５を関連付けて、第１の部分１３１および格納情報１３５をひとつのデータ１３３として記録媒体１２２に格納する。
【００９５】
図７は、図３に示された実施の形態１に係る端末装置１１１におけるデータ遷移の第３の具体例を示す図である。第３の具体例において、サーバ装置１１０は、第１の部分１３１および付属情報１３４を送信する。この時、サーバ装置１１０は、第１の部分１３１から切り離された別のデータとして、付属情報１３４を送信する。ここで、付属情報１３４は、格納情報１３５を含む。付属情報１３４が、格納情報１３５を含む場合として、付属情報１３４が、格納情報１３５自体であってもよい。
【００９６】
受信部１５１は、サーバ装置１１０から、第１の部分１３１と、格納情報１３５を含む付属情報１３４とを受信する。例えば、受信部１５１は、サーバ装置１１０から、データファイルである格納情報１３５を含む付属情報１３４を受信する。また、受信部１５１は、フォルダ構造のファイルシステムを有する記録媒体１２２にフォルダを作成するために必要な情報である格納情報１３５を含む付属情報１３４をサーバ装置１１０から受信してもよい。
【００９７】
格納情報生成部１５２は、付属情報１３４から、格納情報１３５を抽出することにより、格納情報１３５を生成する。
【００９８】
格納処理部１５３は、第１の部分１３１および格納情報１３５を関連付けて、第１の部分１３１および格納情報１３５をひとつのデータ１３３として記録媒体１２２に格納する。
【００９９】
なお、端末装置１１１は、第１の具体例、第２の具体例、および、第３の具体例を組み合せた処理を実行してもよい。例えば、第１の具体例または第２の具体例で示された付属情報１３４が、第３の具体例で示された付属情報１３４のように、第１の部分１３１から切り離されていてもよい。逆に、第３の具体例で示された付属情報１３４が、第１の部分１３１に埋め込まれていてもよい。
【０１００】
図８は、図３に示された実施の形態１に係る端末装置１１１が第１の部分１３１を受信する時の処理を示すフローチャートである。
【０１０１】
まず、受信部１５１は、サーバ装置１１０から、第１の部分１３１および付属情報１３４を受信する（Ｓ１０１）。次に、格納情報生成部１５２は、付属情報１３４から格納情報１３５を生成する（Ｓ１０２）。次に、格納処理部１５３は、第１の部分１３１および格納情報１３５を関連付けて、第１の部分１３１および格納情報１３５を記録媒体１２２に格納する（Ｓ１０３）。
【０１０２】
図９は、図３に示された実施の形態１に係る端末装置１１１が第２の部分１３２を受信する時の処理を示すフローチャートである。
【０１０３】
まず、受信部１５１は、第２の部分１３２を受信する（Ｓ２０１）。次に、格納処理部１５３は、第２の部分１３２を格納情報１３５に関連付けて、第２の部分１３２を記録媒体１２２に格納する（Ｓ２０２）。
【０１０４】
これにより、第１の部分１３１と第２の部分１３２とが、ひとつのデータ１３３として管理される。ただし、図８および図９に示された処理は、一例である。例えば、サーバ装置１１０は、第２の部分１３２を送信する時、第２の部分１３２に付属情報を付けて、第２の部分１３２を送信してもよい。この場合、受信部１５１は、第２の部分１３２および付属情報を受信する。さらに、格納情報生成部１５２は、付属情報から格納情報を生成する。
【０１０５】
この時に生成された格納情報が、第１の部分１３１を受信した時に生成された格納情報１３５と同じであれば、格納処理部１５３は、第２の部分１３２の付属情報から生成された格納情報を記録媒体１２２に格納しない。そして、格納処理部１５３は、既に格納されている格納情報１３５に関連付けて第２の部分１３２を格納する。これにより、格納情報１３５に関連付けられて、第１の部分１３１および第２の部分１３２が記録媒体１２２に格納される。
【０１０６】
あるいは、サーバ装置１１０が、コンテンツの部分に識別情報を付けて、コンテンツの部分を送信し、格納情報生成部１５２が、コンテンツの複数の部分にそれぞれ対応する複数の識別情報を含む格納情報を生成してもよい。ここで、送信された部分が有する識別情報と、既に生成されている格納情報が有する識別情報とが一致する場合、格納処理部１５３は、送信された部分を、既に生成されている格納情報に関連付けて、記録媒体１２２に格納する。
【０１０７】
一方、それらの識別情報が一致しない場合、格納情報生成部１５２が、新たな格納情報を生成する。そして、格納処理部１５３が、新たに生成された格納情報と、送信された部分とを関連付けて、それらを記録媒体１２２に格納する。これにより、コンテンツの複数の部分が適切に関連付けられ、コンテンツ毎の管理が可能になる。
【０１０８】
あるいは、受信部１５１が第１の部分１３１を受信した時ではなく、受信部１５１が第２の部分１３２を受信した時に、格納情報生成部１５２が、第１の部分１３１と第２の部分１３２とを関連付けるための格納情報１３５を生成してもよい。その後、格納処理部１５３が、第１の部分１３１と第２の部分１３２と格納情報１３５とを関連付けて格納してもよい。つまり、コンテンツの部分が１つしか格納されていない場合、コンテンツの部分は、格納情報に関連付けされなくてもよい。
【０１０９】
なお、上述に示されたように、格納情報１３５は、コンテンツの目次を含んでもよい。そして、コンテンツの複数の部分がそれぞれ目次の複数の項目に対応してもよい。格納処理部１５３は、目次の複数の項目のうち、第１の部分１３１および第２の部分１３２のそれぞれが対応する項目に関連付けて、第１の部分１３１および第２の部分１３２を記録媒体１２２に格納してもよい。
【０１１０】
あるいは、格納情報は、複数の部分にそれぞれ対応する複数の順番を含んでもよい。ここで、複数の順番は、ひとつの順序を形成する。格納処理部１５３は、複数の順番のうち、第１の部分１３１および第２の部分１３２のそれぞれが対応する順番に関連付けて、第１の部分１３１および第２の部分１３２を記録媒体１２２に格納してもよい。
【０１１１】
このように、目次、または、複数の順番により、コンテンツの複数の部分についての順序が特定される。電子書籍において、順序は、ストーリーを形成する重要な要素である。したがって、このように順序を特定することは、電子書籍において、特に有効である。
【０１１２】
以上のように、実施の形態１に係る端末装置１１１は、複数に分割されて配信されたコンテンツを自動的にひとつにまとめて管理することができる。したがって、管理の容易性が向上する。また、端末装置１１１によって記録媒体１２２に記録された複数の部分は、ひとつにまとめられたコンテンツとして、別の端末装置１１２から参照可能である。このように、端末装置１１１は、整理されたデータを提供することができる。
【０１１３】
（実施の形態２）
図１０は、実施の形態２に係るコンテンツ管理システムを示す構成図である。図１０に示された実施の形態２に係るコンテンツ管理システム１０１は、実施の形態１に係るコンテンツ管理システム１０１と同様の構成要素を備える。実施の形態２では、実施の形態１に加えて、サーバ装置１１０と端末装置１１１との間の通信が暗号化される。さらに、データ１３３等が暗号化されて、記録媒体１２２に格納される。
【０１１４】
図１１は、図１０に示された実施の形態２に係るサーバ装置１１０を示す構成図である。実施の形態２に係るサーバ装置１１０は、実施の形態１に係るサーバ装置１１０と同様の構成要素を備える。さらに、実施の形態２に係るサーバ装置１１０は、暗号化部１４５を備える。
【０１１５】
暗号化部１４５は、分割部１４２がコンテンツを分割することによって生成された部分、および、付属情報生成部１４３によって生成された付属情報を暗号化する。例えば、暗号化部１４５は、第１の部分１３１と付属情報とを暗号化する。また、暗号化部１４５は、その後、第２の部分１３２と付属情報とを暗号化する。暗号化部１４５は、秘密鍵暗号方式で、これらのデータを暗号化してもよいし、公開鍵暗号化方式で、これらのデータを暗号化してもよい。
【０１１６】
そして、送信部１４４は、暗号化部１４５によって暗号化されたデータを送信する。これにより、サーバ装置１１０は、第１の部分１３１および付属情報を暗号化して、暗号化した第１の部分１３１、および、暗号化した付属情報を端末装置１１１に送信することができる。その後、サーバ装置１１０は、第２の部分１３２を暗号化して、暗号化した第２の部分１３２を端末装置１１１に送信することができる。
【０１１７】
すなわち、コンテンツの部分が、暗号化されて送信される。また、コンテンツの部分に付属する付属する付属情報も、暗号化されて送信される。したがって、通信経路上において、セキュリティが確保され、コンテンツの著作権が適切に保護される。また、付属情報を暗号化することにより、付属情報に著作権に関連する情報が含まれる場合も、著作権が保護される。
【０１１８】
図１２は、図１０に示された実施の形態２に係る受信側の端末装置１１１を示す構成図である。実施の形態２に係る端末装置１１１は、実施の形態１に係る端末装置１１１と同様の構成要素を備える。さらに、実施の形態２に係る端末装置１１１は、復号部１５４および暗号化部１５５を備える。
【０１１９】
受信部１５１は、サーバ装置１１０から暗号化されたデータを受信する。受信部１５１は、まず、サーバ装置１１０から、暗号化された第１の部分１３１、および、暗号化された付属情報を受信する。その後、受信部１５１は、暗号化された第２の部分１３２を受信する。
【０１２０】
復号部１５４は、暗号化されたデータを復号する。具体的には、復号部１５４は、まず、暗号化された第１の部分１３１、および、暗号化された付属情報を復号する。その後、復号部１５４は、暗号化された第２の部分１３２を復号する。
【０１２１】
格納情報生成部１５２は、復号された付属情報から、コンテンツの複数の部分を関連付けるための格納情報を生成する。
【０１２２】
暗号化部１５５は、復号部１５４によって復号されたデータが記録媒体１２２に格納された時に保護されるように、復号されたデータを再び暗号化する。ここで、復号部１５４によって復号されたデータが、同一のコンテンツに含まれるデータの場合、暗号化部１５５は、同一の暗号鍵で暗号化する。例えば、暗号化部１５５は、復号された第１の部分１３１を特定の暗号鍵で暗号化し、復号された第２の部分１３２を同一の暗号鍵で暗号化する。
【０１２３】
多くの場合、同一のコンテンツに含まれる複数の部分は、同一の条件で利用条件が定められる。これらの複数の部分は、同一の保護のレベルで、保護されることが望ましい。これらの複数の部分が、同一の暗号鍵で、暗号化されることによって、同一の保護のレベルが確保される。
【０１２４】
暗号化部１５５は、さらに、格納情報生成部１５２によって生成された格納情報を暗号化する。ここで、暗号化部１５５は、コンテンツの複数の部分を暗号化した暗号鍵で暗号化する。これにより、格納情報が、同様のレベルで保護される。また、暗号化部１５５は、格納情報から、暗号鍵を生成してもよい。例えば、暗号化部１５５は、コンテンツのタイトル、コンテンツの発行日、または、格納情報の大きさ等を用いて、暗号鍵を生成してもよい。
【０１２５】
なお、暗号化部１５５は、格納処理部１５３による関連付けの処理を確実にするため、格納情報に含まれる情報のうち、コンテンツの各部分の関連付けに必要な情報を暗号化しない方が好ましい。
【０１２６】
格納処理部１５３は、暗号化されたデータを記録媒体１２２に格納する。例えば、格納処理部１５３は、暗号化された第１の部分１３１、および、暗号化された格納情報を関連付けて、これらをひとつのデータ１３３として記録媒体１２２に格納する。その後、格納処理部１５３は、暗号化された格納情報に関連付けて、暗号化された第２の部分１３２を記録媒体１２２に格納する。
【０１２７】
これにより、格納処理部１５３は、第１の部分１３１および第２の部分１３２をひとつのデータ１３３として、記録媒体１２２に格納する。また、第１の部分１３１および第２の部分１３２は、同じ暗号鍵で暗号化されるため、同じレベルで保護される。また、同じ暗号鍵で保護されることにより、管理の容易性が向上する。また、格納情報を暗号化することにより、格納情報に著作権に関連する情報が含まれる場合も、著作権が保護される。
【０１２８】
なお、端末装置１１１は、メディアバインディングの技術を用いて、第１の部分１３１、第２の部分１３２および格納情報を暗号化し、暗号化に用いた暗号鍵の情報を記録媒体１２２に格納してもよい。この場合、格納処理部１５３が暗号化に用いた暗号鍵の情報を記録媒体１２２に格納する。
【０１２９】
図１３は、図１０に示された実施の形態２に係る再生側の端末装置１１２を示す構成図である。実施の形態２に係る端末装置１１２は、実施の形態１に示された端末装置１１２と同様の構成要素を備える。実施の形態２に係る端末装置１１２は、さらに、復号部１６３を備える。
【０１３０】
抽出部１６１は、記録媒体１２２からデータを抽出する。例えば、抽出部１６１は、暗号化された第１の部分１３１、および、暗号化された第２の部分１３２をひとつの暗号化されたデータ１３３として抽出する。
【０１３１】
復号部１６３は、暗号化された第１の部分１３１、および、暗号化された第２の部分１３２を復号する。端末装置１１２は、暗号鍵の入力を受け付けてもよい。そして、復号部１６３は、入力された暗号鍵を用いて、第１の部分１３１および第２の部分１３２を復号してもよい。同一のコンテンツの複数の部分は、同一の暗号鍵が用いられているため、単一の暗号鍵の入力により、同一のコンテンツの複数の部分が復号される。同様に、復号部１６３は、同一の暗号鍵により、格納情報を復号してもよい。
【０１３２】
再生部１６２は、復号されたデータを再生する。実施の形態１と同様に、第１の部分１３１および第２の部分１３２がひとつのデータとして管理されているため、再生部１６２は、これらを連続して再生することができる。再生部１６２は、復号された格納情報に含まれる文字情報または画像情報を再生してもよい。
【０１３３】
なお、暗号化にメディアバインディングの技術が用いられている場合、抽出部１６１は、暗号鍵の情報を記録媒体１２２から取得し、復号部１６３は、暗号鍵の情報を用いて、第１の部分１３１、第２の部分１３２および格納情報を復号する。
【０１３４】
図１４は、図１０に示された実施の形態２に係る記録媒体１２２を示す概念図である。図１４において、第１の部分１３１および第２の部分１３２がメディアバインディングの技術を用いて記録媒体１２２に格納された状態が示されている。
【０１３５】
図１４の上側に示された記録媒体１２２では、第１の部分１３１および第２の部分１３２が、別々に格納されている。そして、第１の部分１３１および第２の部分１３２は、それぞれ異なる暗号鍵で暗号化される。第１の部分１３１の暗号化に用いられた暗号鍵の情報は、暗号鍵情報１７３として、記録媒体１２２に格納される。同様に、第２の部分１３２の暗号化に用いられた暗号鍵の情報は、暗号鍵情報１７４として、記録媒体１２２に格納される。
【０１３６】
ここで、第１の部分１３１および第２の部分１３２は、記録媒体１２２のユーザー領域１７２に格納され、様々な装置から参照可能である。一方、暗号鍵情報１７３および暗号鍵情報１７４は、記録媒体１２２のセキュア領域１７１に格納され、著作権保護の仕組みを有する装置からのみ参照可能である。これにより、著作権保護の仕組みを有する装置のみが、暗号鍵情報１７３および暗号鍵情報１７４を用いて、第１の部分１３１および第２の部分１３２を復号し、再生することができる。
【０１３７】
また、暗号鍵情報１７３または暗号鍵情報１７４に加えて、記録媒体１２２の有する識別情報から、暗号鍵が生成されてもよい。これにより、記録媒体１２２と離れて、第１の部分１３１および第２の部分１３２が再生されなくなり、著作権がより確実に保護される。
【０１３８】
しかし、第１の部分１３１および第２の部分１３２に対応して、暗号鍵情報１７３および暗号鍵情報１７４が記録媒体１２２に格納される。つまり、コンテンツの部分の数に応じて、暗号鍵が必要になり、暗号鍵が枯渇する可能性がある。また、暗号鍵情報を格納するための容量が必要となり、コンテンツの複数の部分の数が多くなれば、記録媒体１２２の容量が不足する可能性がある。
【０１３９】
図１４の下側に示された記録媒体１２２では、第１の部分１３１、第２の部分１３２および格納情報１３５が、格納処理部１５３によって、ひとつのデータ１３３として格納されている。そして、これらは、暗号化部１５５によって、同じ暗号鍵で暗号化される。暗号鍵の情報は、格納処理部１５３によって、暗号鍵情報１７５として、記録媒体１２２に格納される。
【０１４０】
すなわち、実施の形態２に係る端末装置１１１を用いた場合、元のコンテンツがひとつであれば、暗号鍵は、ひとつで足りる。したがって、暗号鍵が枯渇する可能性が低減する。また、記録媒体１２２の容量が不足する可能性が低減する。このように、実施の形態２に係るコンテンツ管理システムは、メディアバインディングの技術が用いられる場合に特に有効である。
【０１４１】
以上のように、実施の形態２に係る端末装置１１１は、複数に分割されて配信されたコンテンツを自動的にひとつにまとめて管理することができる。さらに、ひとつにまとめられたデータは、同じ暗号鍵で暗号化される。したがって、コンテンツの複数の部分が、同じレベルで保護される。
【０１４２】
なお、通信ネットワーク１２１のセキュリティが確保されている場合、サーバ装置１１０と端末装置１１１との間の通信が暗号化されなくてもよい。例えば、通信ネットワーク１２１が、専用回線である場合、暗号化の必要はない。この場合、サーバ装置１１０における暗号化処理、および、端末装置１１１における復号処理は不要であり、それらの処理を実行する機能部は、無くてもよい。
【０１４３】
また、付属情報および格納情報は、暗号化されなくてもよい。これらが暗号化されない場合でも、第１の部分１３１および第２の部分１３２等が暗号化されることにより、著作権は保護される。また、付属情報の一部または格納情報の一部のみが、暗号化されてもよい。例えば、付属情報または格納情報において、著作権保護が必要な部分のみが暗号化されてもよい。また、通信ネットワーク１２１における暗号化と、記録媒体１２２における暗号化との間には、関連があってもよいし、関連がなくてもよい。
【０１４４】
また、格納情報は、ディジタル著作権保護（ＤＲＭ）における利用条件を含んでもよい。このような利用条件として、コピーの制限、利用期間の制限、同時利用数の制限、コンテンツの分割または統合の制限、任意の単位でのコンテンツの加工または編集の制限、権利返還の制限、譲渡の許可の制限、および、デバイスまたはメディアと一体としてのみ利用可能とする制限等がある。
【０１４５】
より具体的には、コピーの制限として、コピー禁止、限られた回数のみコピー可能、コピー無制限などの分類がある。また、利用期間の制限として、再生回数の制限、再生期間の制限、および、保有期間または保存期間の制限がある。ここで、期間は、標準時刻などの絶対時間によって定められる期間であってもよいし、ある特定のイベントからの相対的な時間間隔等である相対時間によって定められる期間であってもよい。
【０１４６】
また、同時利用数の制限として、同一のコンテンツを同時に利用できる人数である同時利用者数の制限、および、同一のコンテンツを同時に利用できるデバイスの数である同時利用デバイス数の制限がある。また、コンテンツの分割または統合の制限として、書籍として統合されたコンテンツを記事に分割できるか否かの制限、および、記事を書籍として統合できるか否かの制限がある。
【０１４７】
格納情報は、このような様々な利用条件を情報として、含んでもよい。そして、格納情報は、書籍全体に対する制限を含んでもよいし、記事毎に対する制限を含んでもよい。さらに、再生部１６２は、記事を再生する時、記録媒体１２２に格納された格納情報を更新してもよい。例えば、再生部１６２は、再生回数、利用数、コピー回数等を更新する。また、再生部１６２と同様に、復号部１６３が、記事を復号する時に、記録媒体１２２に格納された格納情報を更新してもよい。
【０１４８】
また、暗号化部１５５は、コンテンツ毎に定められる暗号鍵であって、利用条件が満たされなくなった場合に無効になる暗号鍵で、第１の部分１３１、第２の部分１３２および格納情報を暗号化してもよい。利用条件が満たされなくなった場合として、例えば、利用期間が制限を超過した場合等がある。このような暗号鍵により、コンテンツ毎の著作権が適切に保護される。
【０１４９】
以上、本発明に係る端末装置およびコンテンツ管理システムについて、実施の形態１および実施の形態２に基づいて説明したが、本発明はこれらの実施の形態に限定されるものではない。これらの実施の形態に対して当業者が思いつく変形を施して得られる形態、および、これらの実施の形態における構成要素を任意に組み合わせて実現される別の形態も本発明に含まれる。
【０１５０】
例えば、各実施の形態で示された端末装置１１１は、別の端末装置１１２が有する構成要素を備えてもよい。これにより、端末装置１１１において、記録および再生の両方が可能になる。
【０１５１】
また、本発明は、端末装置またはコンテンツ管理システムとして実現できるだけでなく、端末装置またはコンテンツ管理システムを構成する処理手段をステップとする方法として実現できる。そして、本発明は、それらの方法に含まれるステップをコンピュータに実行させるプログラムとして実現できる。さらに、本発明は、そのプログラムを記録したＣＤ−ＲＯＭ等のコンピュータ読み取り可能な記録媒体として実現できる。
【産業上の利用可能性】
【０１５２】
本発明に係る端末装置は、コンテンツを受信して、受信したコンテンツを記録媒体に格納する端末装置として、パーソナルコンピュータ、ビデオレコーダまたはオーディオプレーヤー等に利用可能である。
【符号の説明】
【０１５３】
１０１、９０１  コンテンツ管理システム
１１０、９１０  サーバ装置
１１１、１１２、９１１、９１２  端末装置
１２１、９２１  通信ネットワーク
１２２、９２２  記録媒体
１３０、９３０  コンテンツ（書籍）
１３１、１３２、９３１、９３２  部分（記事）
１３３  データ
１３４  付属情報
１３５  格納情報（ブックカバー）
１４１  記憶部
１４２  分割部
１４３  付属情報生成部
１４４  送信部
１４５、１５５  暗号化部
１５１  受信部
１５２  格納情報生成部
１５３  格納処理部
１５４、１６３  復号部
１６１  抽出部
１６２  再生部
１７１  セキュア領域
１７２  ユーザー領域
１７３、１７４、１７５  暗号鍵情報
【図１】
2012098964.tif 000003
【図２】
2012098964.tif 000004
【図３】
2012098964.tif 000005
【図４】
2012098964.tif 000006
【図５】
2012098964.tif 000007
【図６】
2012098964.tif 000008
【図７】
2012098964.tif 000009
【図８】
2012098964.tif 000010
【図９】
2012098964.tif 000011
【図１０】
2012098964.tif 000012
【図１１】
2012098964.tif 000013
【図１２】
2012098964.tif 000014
【図１３】
2012098964.tif 000015
【図１４】
2012098964.tif 000016
【図１５】
2012098964.tif 000017